(57)【要約】【課題】弱電界における通話時に、音声有りと判断された場合にスケルチ回路のヒステリシス幅を広くするように自動で制御し、通話品質を向上することができる無線受信機を提供する。【解決手段】音声信号回路のミュート回路をオープンとした後に、帯域制限濾波器により音声帯域内の音声信号を抽出し、該抽出した音声信号を検波器によって検波した電圧を、予め基準電圧を設定した電圧比較器に入力することにより、音声有りの場合には電圧比較器の出力の論理が反転し、中央演算処理装置が音声ありと認識する。この時、中央演算処理装置は、スケルチ回路の電圧比較器のヒステリシス幅を広くするように、ヒステリシス制御回路により制御し、通話を途切れにくくするものである。【選択図】図１
2011217223.tif 000002
【特許請求の範囲】
【請求項１】
外部から送信された高周波信号を受信する受信部と、受信部で受信した受信信号を復調処理する復調部と、復調部からの復調信号に基づき音声を出力する音声出力部と、復調部からの復調信号に基づき、音声出力部の出力を抑制する雑音抑制部とを備えた無線受信機であって、
前記雑音抑制部は、ヒステリシス動作部とヒステリシス制御部とを備え、
前記ヒステリシス動作部は、復調信号から音声帯域外周波数の音声帯域外信号を抽出し、該音声帯域外信号を検波した第１の検波電圧が、所定の第１の電圧以下である場合に、雑音抑制部を開いて音声出力部の出力抑制を解除する第１の状態になり、前記第１の検波電圧が、前記第１の電圧よりも高い所定の第２の電圧以上、又は該第２の電圧よりも高い第３の電圧以上である場合に、雑音抑制部を閉じて音声出力部の出力を抑制する第２の状態になるよう動作し、
前記ヒステリシス制御部は、前記第１の状態において、復調信号から音声帯域内周波数の音声帯域内信号を抽出し、該音声帯域内信号を検波した第２の検波電圧が、所定の第４の電圧以上である第３の状態になると、雑音抑制部を前記第２の状態に戻す基準電圧を前記第３の電圧とし、任意の第１の時間後に前記第２の検波電圧が前記第４の電圧より低下すると、雑音抑制部を前記第２の状態に戻す基準電圧を、所定の第２の時間、前記第３の電圧としたのち前記第２の電圧とし、かつ、前記第３の状態である第１の時間の長さに応じて、前記第２の時間の長さを変えるよう制御することを特徴とする無線受信機。
【発明の詳細な説明】
【技術分野】
【０００１】
本発明は、ノイズレベルに応じて音声出力を制御する雑音抑制部（スケルチ回路）を用いる無線受信機に関し、更に詳しくは、雑音抑制部の特性改善に関する。
【背景技術】
【０００２】
従来の雑音抑制部を構成するスケルチ回路の方式の一例を図４に示す。図４は、従来の無線受信機における雑音抑制部の構成例を示す図である。図４において、１０１は復調回路、１０２は帯域制限濾波器、１０３は検波器、１０４は電圧比較器、１０９は音声増幅回路、１１０は音声信号処理回路、１１１はミュート回路、１１２は音声周波増幅器、１１３は中央演算処理装置である。
図示しない中間周波信号処理回路から復調回路１０１に入力された変調信号は、復調回路１０１によって復調される。この復調信号の音声帯域外の周波数成分、例えば約３０〜７０ｋＨｚ程度を、帯域制限濾波器１０２により抽出及び増幅して、検波器１０３により検波する。受信信号が存在する場合（受信信号に音声信号成分が含まれる場合）には、音声帯域外雑音成分が抑圧されるため、検波電圧は低くなる。この検波電圧を、予め所定の基準電圧が設定された電圧比較器１０４に入力すると、それまでの入力電圧とは逆の論理の電圧が電圧比較器４から出力され、その出力電圧が中央演算処理装置１１３に入力される。中央演算処理装置１１３は、この電圧変化を受信信号あり（音声信号あり）と認識し、音声信号回路に含まれるミュート回路１１１をクローズからオープンの状態に制御する。これにより、復調された信号が音声増幅回路１０９、音声信号処理回路１１０、ミュート回路１１１、音声周波増幅器１１２を経て、スピーカから音として出力される。
【０００３】
また、受信信号が存在しない場合（受信信号に音声信号成分が含まれない場合）には、検波器１０３の検波電圧は高くなる。そうすると、上述の入力電圧とは逆の論理の電圧が電圧比較器４から出力され、その出力電圧が中央演算処理装置１１３に入力される。中央演算処理装置１１３は、この電圧変化を受信信号なし（音声信号なし）と認識し、音声信号回路に含まれるミュート回路１１１をオープンからクローズの状態に制御する。この制御により、ミュート回路１１１が働き、スピーカから音声が出力されないようになる。
【０００４】
ミュート回路１１１が開いた状態（音声信号ありの状態）から、受信信号の強度が下がる場合、ミュート回路１１１がオープンしたときの受信信号の強度からある一定の強度以下まで下がらないと、ミュート回路１１１がクローズしないように、電圧比較器１０４の入力電圧のヒステリシス幅が設定されている。これにより、受信信号の強度が頻繁に変動した場合に、ミュート回路１１１において、頻繁なオープン、クローズの繰り返しが発生しないようにしている。ただし、ヒステリシス幅を広く設定しすぎると、ミュート回路１１１が動作しにくくなったりするため、最適なヒステリシス幅に設定する必要がある。
【０００５】
下記の特許文献１（特開２００２-７６９５９公報）には、スケルチ回路に用いる電圧比較器（コンパレータ）のヒステリシス電圧を適切に設定できず、ノイズスケルチ調整幅が小さくなるという課題を解決するため、制御信号に応じて抵抗値が変化する可変抵抗を電圧比較器の前段に設け、ヒステリシス電圧が最適となるように制御し、ノイズスケルチ調整幅を大きくする技術が開示されている。
【先行技術文献】
【特許文献】
【０００６】
【特許文献１】特開２００２-７６９５９公報
【発明の概要】
【発明が解決しようとする課題】
【０００７】
従来の技術では、例えば、雑音抑制部（スケルチ回路）がオープン、またはクローズする受信信号強度付近で通話している場合、雑音抑制部のミュート回路が頻繁にオープン、クローズを繰り返してしまう場合があり、通話が途切れて内容を了解することが困難となる課題があった。
【０００８】
本発明の目的は、雑音抑制部がオープン、またはクローズする受信信号強度付近で通話している場合においても、雑音抑制部のミュート回路が頻繁にオープン、クローズを繰り返すことを抑制し、通話が途切れることを抑制できる無線受信機を提供することにある。
【課題を解決するための手段】
【０００９】
前記課題を解決するため、本発明では、雑音抑制部をオープンとして音声出力部の出力抑制を解除した後に、音声帯域内の音声信号を抽出し、音声有りの場合には、雑音抑制部のヒステリシス幅を広くするように制御し、通話を途切れにくくするものである。
本発明の代表的な構成は、次のとおりである。
外部から送信された高周波信号を受信する受信部と、受信部で受信した受信信号を復調処理する復調部と、復調部からの復調信号に基づき音声を出力する音声出力部と、復調部からの復調信号に基づき、音声出力部の出力を抑制する雑音抑制部とを備えた無線受信機であって、
前記雑音抑制部は、ヒステリシス動作部とヒステリシス制御部とを備え、
前記ヒステリシス動作部は、復調信号から音声帯域外周波数の音声帯域外信号を抽出し、該音声帯域外信号を検波した第１の検波電圧が、所定の第１の電圧以下である場合に、雑音抑制部を開いて音声出力部の出力抑制を解除する第１の状態になり、前記第１の検波電圧が、前記第１の電圧よりも高い所定の第２の電圧以上（通常のヒステリシス幅）、又は該第２の電圧よりも高い第３の電圧以上（拡大時のヒステリシス幅）である場合に、雑音抑制部を閉じて音声出力部の出力を抑制する第２の状態になるよう動作し、
前記ヒステリシス制御部は、前記第１の状態において、復調信号から音声帯域内周波数の音声帯域内信号を抽出し、該音声帯域内信号を検波した第２の検波電圧が、所定の第４の電圧以上である第３の状態になると、雑音抑制部を前記第２の状態に戻す基準電圧を前記第３の電圧（拡大時のヒステリシス幅）とし、任意の第１の時間後に前記第２の検波電圧が前記第４の電圧より低下すると、雑音抑制部を前記第２の状態に戻す基準電圧を、所定の第２の時間、前記第３の電圧（拡大時のヒステリシス幅）としたのち前記第２の電圧（通常のヒステリシス幅）とし、かつ、前記第３の状態である第１の時間の長さに応じて、前記第２の時間の長さを変えるよう制御することを特徴とする無線受信機。
【発明の効果】
【００１０】
本発明によれば、雑音抑制部がオープン、またはクローズする受信信号強度付近で通話している場合においても、雑音抑制部のミュート回路が頻繁にオープン、クローズを繰り返すことを抑制し、通話が途切れることを抑制することができる。
【００１１】
なお、上記発明において、前記ヒステリシス制御部が、音声帯域内信号ありの前記第３の状態（前記第２の検波電圧が前記第４の電圧以上である状態）にある第１の時間の長さが、所定の時間以上である場合は、前記第１の時間の長さが所定の時間未満である場合よりも、ヒステリシス幅を元に戻すまでの前記所定の第２の時間を長くするよう制御することもできる。
このようにすると、会話途中の一時的な無音声の場合（所定の時間以上である場合）と、「了解」などの単語や短い文節で通話が終了する場合（所定の時間未満である場合）とを分別し、より話者に違和感のないスケルチ動作を行うことができる。
【図面の簡単な説明】
【００１２】
【図１】本発明の無線受信機における雑音抑制部の構成例を示す図である。
【図２】音声帯域用の帯域制限濾波器を通過した後の、Ｓ／Ｎカーブの一例を示す図である。
【図３】本発明において、音声ありと認識した時間（第１の時間）に応じて、ヒステリシス幅を元に戻すまでの時間（第２の時間）を変える例を説明するタイムチャートである。
【図４】従来の無線受信機における雑音抑制部の構成例を示す図である。
【発明を実施するための形態】
【００１３】
本実施例における無線受信機は、外部から送信された高周波信号を受信し中間周波信号に変換する受信部と、受信部で受信した受信信号を復調処理する復調部と、復調部からの復調信号に基づき音声を出力する音声出力部と、復調部からの復調信号に基づき、音声出力部の出力を抑制する雑音抑制部とを備えている。
【００１４】
以下、本発明の実施例について、図を参照して説明する。図１は、本発明の無線受信機における雑音抑制部の構成例を示す図である。図１において、１は、図示しない中間周波信号処理回路からの変調された状態にある変調信号を、音声信号を含む復調信号に復調する復調回路である。該復調回路１により復調部が構成される。２は、復調回路１からの復調信号の音声帯域外の周波数成分、例えば約３０〜７０ｋＨｚ程度を抽出する第１の帯域制限濾波器である。３は、第１の帯域制限濾波器からの音声帯域外信号を検波する第１の検波器である。
４は、入力電圧とは逆の論理の電圧を、中央演算処理装置１３に出力する第１の電圧比較器であり、入力電圧が所定の第１の基準電圧以下となると、受信信号あり（音声信号あり）を意味する例えば「１」を出力し、入力電圧が前記第１の基準電圧よりも高い所定の第２の基準電圧以上、又は、該第２の基準電圧よりも高い第３の基準電圧以上となると、受信信号なし（音声信号なし）を意味する例えば「０」を出力するヒステリシス特性を有する。
５は、第１の電圧比較器４のヒステリシス特性を制御するヒステリシス制御回路である。ヒステリシス制御回路５は、中央演算処理装置１３からの指示に基づき、第１の電圧比較器４が、前記第２の基準電圧以上になった場合に例えば「０」を出力するのか、あるいは、該第２の基準電圧よりも高い第３の基準電圧以上になった場合に例えば「０」を出力するのかを制御する。つまり、受信信号なし（音声信号なし）を意味する基準電圧として、前記第２の基準電圧を使用するのか、あるいは第３の基準電圧を使用するのかを制御する。また、ヒステリシス制御回路５は、受信信号なし（音声信号なし）を意味する基準電圧として、前記第２の基準電圧よりも高い第３の基準電圧を使用する時間を制御する。
【００１５】
６は、復調回路１からの復調信号の音声帯域の周波数成分、例えば、約１．２ｋＨｚ付近の周波数成分を抽出する第２の帯域制限濾波器である。図１の例では、復調回路１からの復調信号を、音声増幅回路９で増幅し、音声増幅回路９の出力に含まれる音声帯域内の周波数成分を抽出する。このように、音声帯域の周波数成分を第２の帯域制限濾波器によって抽出することにより、弱電界における音声信号成分を認識しやすくしている。
７は、第２の帯域制限濾波器６からの音声帯域内信号を検波する第２の検波器である。８は、入力電圧とは逆の論理の電圧を、中央演算処理装置１３に出力する第２の電圧比較器である。第２の電圧比較器８は、音声信号が存在し、第２の検波器７によって検波された後、第２の電圧比較器８で予め設定された基準電圧である第４の基準電圧以上となると、受信信号あり（音声信号あり）を意味する出力を、中央演算処理装置１３に出力する。９は、復調回路１からの復調信号を増幅する音声増幅回路である。１０は、例えば、ＦＭ特有の三角雑音を抑制するディエンファシス回路、終話のために最後に送出されるＭＳＫ信号の変調音をミュートするための音声遅延回路、音量を調整する回路等が含まれる音声信号処理回路である。１１は、中央演算処理装置１３からの指示に基づき、音声出力を抑制するミュート回路である。ミュート回路１１がクローズ状態（閉じた状態）になると音声出力が抑制され、ミュート回路１１がオープン状態（開いた状態）になると音声出力の抑制が解除される。１２は、音声帯域内信号を増幅する音声周波増幅器である。
【００１６】
１３は、中央演算処理装置であり、第１の電圧比較器４の出力に基づき、ミュート回路１１をクローズ状態にするか、オープン状態にするかを制御する。また、中央演算処理装置１３は、第２の電圧比較器８の出力に基づき、第１の電圧比較器４のヒステリシス幅を広くするように、また、第１の電圧比較器４のヒステリシス幅が広くなっている時間の長短を調節するように、ヒステリシス制御回路５を制御する。中央演算処理装置１３は、ＣＰＵ（Central  Processing  Unit）及びメモリにより構成することができる。この場合、中央演算処理装置１３の機能を有するプログラムを該メモリに格納し、ＣＰＵが該プログラムを実行する。
【００１７】
第１の帯域制限濾波器２、第１の検波器３、第１の電圧比較器４、ミュート回路１１、中央演算処理装置１３から、ヒステリシス動作部が構成され、ヒステリシス制御回路５、第２の帯域制限濾波器６、第２の検波器７、第２の電圧比較器８、中央演算処理装置１３から、ヒステリシス制御部が構成される。
【００１８】
次に、図１の動作を説明する。
音声信号が含まれる高周波信号が受信部で受信されると、中間周波信号に変換され、受信部からの変調された状態の中間周波信号が、復調回路１で復調される。復調回路１で復調された復調信号が、第１の帯域制限濾波器２に入力され、第１の帯域制限濾波器２において、音声帯域外の周波数成分、例えば約３０〜７０ｋＨｚの周波数成分が抽出され、第１の検波器に入力される。受信信号には音声信号が含まれているので、音声帯域外信号は弱く、従って、第１の検波器の出力である検波電圧は低く、この低い検波電圧が、第１の電圧比較器４に入力されると、第１の電圧比較器４において、所定の第１の基準電圧と比較され、該第１の基準電圧以下であるので、前記入力電圧とは逆の論理の電圧が電圧比較器４から出力され、その出力電圧が中央演算処理装置１３に入力される。中央演算処理装置１３は、この出力電圧により受信信号あり（音声信号あり）と認識し、ミュート回路１１をクローズからオープンの状態に制御する。この制御により、復調された音声信号が音声周波増幅器１２を経て、スピーカから音として出力される。
【００１９】
ミュート回路１１がオープンした後、音声増幅回路９の出力に含まれる音声帯域内の周波数成分を、第２の帯域制限濾波器６により抽出する。例えば、約１．２ｋＨｚ付近の周波数成分を、第２の帯域制限濾波器によって抽出することにより、弱電界における音声信号成分を認識しやすくすることが可能となる。
音声信号が存在し、第２の検波器７によって検波された後、第２の電圧比較器８で予め設定された基準電圧である第４の基準電圧以上であると、第２の電圧比較器８の出力の論理が反転する。これを認識した中央演算処理装置１３は、第１の電圧比較器４のヒステリシス幅を広くするように、ヒステリシス制御回路５を制御する。すなわち、受信信号なし（音声信号なし）を判定する基準電圧として、前記第３の基準電圧を使用するよう、ヒステリシス制御回路５を制御する。その具体的なやり方としては、例えば、第１の電圧比較器４を２つの電圧比較器から構成し、一方の電圧比較器の基準電圧を前記第２の基準電圧とし、他方の電圧比較器の基準電圧を前記第３の基準電圧とし、これら２つの電圧比較器を切り換えるようにすることができる。
【００２０】
図２に、第２の帯域制限濾波器６を通過した後のＳ／Ｎ（Ｓｉｇｎａｌ  ／  Ｎｏｉｓｅ）カーブの一例を示す。図２において、横軸は、受信部に入力される受信信号の受信入力強度であり、縦軸は、第２の帯域制限濾波器６を通過した後の音声帯域信号の音声信号強度である。図２において、２１はＮカーブ、２２はＳカーブ、２３はミュート回路１１がオープンとなる受信入力強度である。２４は、第２の電圧比較器８により中央演算処理装置１３が音声ありと認識する音声信号強度である。２５は、音声信号強度２４に対応しており、音声ありと認識するときの受信入力強度である。受信入力強度２５は、前記第４の基準電圧に対応する。２６は、第１の電圧比較器４の通常のヒステリシス幅である。通常のヒステリシス幅２６を形成する受信入力強度２３、２７は、それぞれ、前記第１の基準電圧、第２の基準電圧に対応する。２８は、第１の電圧比較器４の拡大時のヒステリシス幅である。拡大時のヒステリシス幅２７を形成する受信入力強度２３、２９は、それぞれ、前記第１の基準電圧、第３の基準電圧に対応する。帯域制限濾波器６により音声成分が強調され、雑音成分が減衰するため、ミュート回路１１がオープンとなる受信入力強度２３においては、Ｓの値がＮの値よりも十分に大きい。通常の通過帯域で復調した場合、ＮレベルとＳレベルの最大値は近い値となり、検波しても音声信号の判別が困難であるが、第２の帯域制限濾波器６を通過させることにより、Ｎレベルの最大値よりもＳレベルの最大値が十分大きくなるため、Ｓレベルありの判定をすることが容易となる。従って、音声ありと認識する音声信号強度２４を、Ｎレベルの最大値とＳレベルの最大値の間のほぼ中間に相当する図２のレベルに設定することにより、音声信号ありとなしの判定を明確に行うことが容易となる。
音声信号強度２４に対応する受信入力強度２５を、ミュート回路１１がオープンとなる受信入力強度２３と、通常時のヒステリシス幅におけるミュート回路１１がクローズとなる受信入力強度２７との間に設定している。これにより、受信入力強度が、ミュート回路１１がオープンとなる受信入力強度２３には達しないが、第２の電圧比較器８により音声ありと認識する受信入力強度２５以上である場合は、次に受信入力強度２５よりも低くなったとき、つまり、音声帯域内信号を検出できなくなったときから所定時間（第２の時間）、拡大されたヒステリシス幅を維持できるので、雑音成分による誤動作が発生することを抑制できる。
音声信号が存在し、第２の帯域制限濾波器６を通過した後の音声帯域信号の音声信号強度が、音声信号強度２４を超えると、中央演算処理装置１３は、第１の電圧比較器４のヒステリシス幅を広くするように、ヒステリシス制御回路５を制御する。
【００２１】
また、このとき、中央演算処理装置１３が音声ありと認識した時間（第１の時間）が短い場合、例えば２００ｍｓ未満の場合には、次に音声なしと認識して、第１の電圧比較器４のヒステリシス幅を元に戻すまでの時間（第２の時間）も短く、例えば２００ｍｓ程度に制御する。音声ありと認識した時間（第１の時間）が長い場合、例えば２００ｍｓ以上の場合には、次に音声なしと認識して、第１の電圧比較器４のヒステリシス幅を元に戻すまでの時間（第２の時間）を長く、例えば１ｓ程度に制御する。その具体的なやり方としては、例えば、第１の電圧比較器４を２つの電圧比較器から構成し、一方の電圧比較器の基準電圧を前記第２の基準電圧とし、他方の電圧比較器の基準電圧を前記第３の基準電圧とし、これら２つの電圧比較器を切り換えるタイミングを、中央演算処理装置１３から指示するようにすることができる。これにより、パルス的な音声信号による誤動作を、極力短い時間内で抑えることが可能となる。
【００２２】
図３は、中央演算処理装置１３が音声ありと認識した時間（第１の時間）に応じて、次に音声なしと認識して、第１の電圧比較器４のヒステリシス幅を元に戻すまでの時間（第２の時間）を変える例を説明するタイムチャートである。図３において、中央演算処理装置１３が音声ありと認識した時間（第１の時間）３１が、２００ｍｓ以下と短い場合は、第１の電圧比較器４のヒステリシス幅が大きい状態３２が、音声あり状態３１の間継続し、さらに音声あり状態３１が消滅した後、第２の時間３３が２００ｍｓ継続する。また、中央演算処理装置１３が音声ありと認識した時間（第１の時間）３４が、２００ｍｓ以上と長い場合は、第１の電圧比較器４のヒステリシス幅が大きい状態３５が、音声あり状態３４の間継続し、さらに音声あり状態３４が消滅した後、第２の時間３６が１ｓ継続する。
【００２３】
また、前記第２の時間が経過した後は、受信信号が存在しない（受信信号に音声信号が含まれない）ので、第１の検波器３の検波電圧は高くなる。そうすると、第１の電圧比較器４において、所定の第２の基準電圧と比較され、該第２の基準電圧以上であるので、入力電圧とは逆の論理の電圧が電圧比較器４から出力され、その出力電圧が中央演算処理装置１３に入力される。中央演算処理装置１３は、この出力電圧を受信信号なし（音声信号なし）と認識し、ミュート回路１１をオープンからクローズの状態に制御する。この制御により、ミュート回路１１が働き、スピーカから音声が出力されないようになる。
【００２４】
以上説明した本発明によれば、雑音抑制部がオープン、またはクローズする受信信号強度付近で通話している場合においても、雑音抑制部のミュート回路が頻繁にオープン、クローズを繰り返すことを抑制し、通話が途切れることを抑制することができる。
なお、上記の実施例では、音声帯域内信号を検出するとヒステリシス幅を拡大し、その後、音声帯域内信号を検出できなくなったときから所定時間（第２の時間）、前記拡大されたヒステリシス幅を維持し、前記所定時間の後、ヒステリシス幅を縮小（元に戻す）するとともに、音声帯域内信号を検出している時間（第１の時間）の長さに応じて、前記第２の時間の長さを変えるよう制御したが、音声帯域内信号を検出している時間（第１の時間）の長さに応じて、前記第２の時間の長さを変えたりしないようにする、つまり、音声帯域内信号を検出するとヒステリシス幅を拡大し、その後、音声帯域内信号を検出できなくなったときから所定時間（第２の時間）、前記拡大されたヒステリシス幅を維持し、前記所定時間の後、ヒステリシス幅を縮小（元に戻す）するようにすることもできる。
また、前記第２の時間を設けないようにする、つまり、音声帯域内信号を検出するとヒステリシス幅を拡大し、その後、音声帯域内信号を検出できなくなるとヒステリシス幅を縮小（元に戻す）するようにすることもできる。
【００２５】
なお、本発明は、本発明に係る処理を実行する装置、方法、システムとして、或いは、このような方法やシステムを実現するためのプログラムや当該プログラムを記録する記録媒体などとして提供することも可能である。
【符号の説明】
【００２６】
１：復調回路、２：第１の帯域制限濾波器、３：第１の検波器、４：第１の電圧比較器、５：ヒステリシス制御回路、６：第２の帯域制限濾波器、７：第２の検波器、８：第２の電圧比較器、９：音声増幅回路、１０：音声信号処理回路、１１：ミュート回路、１２：音声周波増幅器、１３：中央演算処理装置、２１：Ｎカーブ、２２：Ｓカーブ、２３：ミュート回路がオープンとなる受信入力強度、２４：音声ありと認識する音声信号強度、１０１：復調回路、１０２：帯域制限濾波器、１０３：検波器、１０４：電圧比較器、１０９：音声増幅回路、１１０：音声信号処理回路、１１１：ミュート回路、１１２：音声周波増幅器、１１３：中央演算処理装置。
【図１】
2011217223.tif 000003
【図２】
2011217223.tif 000004
【図３】
2011217223.tif 000005
【図４】
2011217223.tif 000006